(57)【要約】【課題】複数端末間で一括してプロフィール情報を交換する際の利便性を向上させることを課題とする。【解決手段】無線端末は、近距離無線通信を用いて他の無線端末を検出する。無線端末は、検出した他の無線端末から、当該他の無線端末の所有者に対応する画像または所有者の氏名を含む識別情報を取得する。無線端末は、取得した識別情報を表示部に表示させる。無線端末は、表示した識別情報に対応する他の無線端末と自装置との間で、所有者に関するプロフィール情報の交換が互いに要求された場合に、プロフィール情報の交換を要求した他の無線端末とプロフィール情報を交換する。【選択図】図２
2014120944.tif 000002
【特許請求の範囲】
【請求項１】
無線通信装置に、
近距離無線通信を用いて他の無線通信装置を検出し、
検出した他の無線通信装置から、当該他の無線通信装置の所有者に対応する画像または所有者の氏名を含む識別情報を取得し、
取得した前記識別情報を表示部に表示し、
表示した識別情報に対応する他の無線通信装置と自装置との間で、前記無線通信装置の所有者に関するプロフィール情報の交換が互いに要求された場合に、前記プロフィール情報の交換を要求した他の無線通信装置と前記プロフィール情報を交換する
処理を実行させることを特徴とする交換制御プログラム。
【請求項２】
前記検出する処理は、前記検出した他の無線通信装置に自己の前記プロフィール情報を送信し、前記検出した他の無線通信装置から前記プロフィール情報を受信して一時領域に保存し、
前記交換する処理は、前記一時領域に保存される前記プロフィール情報のうち、前記プロフィール情報の交換を要求した他の無線通信装置の前記プロフィール情報を前記一時領域から所定の記憶部に移動させ、前記プロフィール情報の交換を要求しなかった他の無線通信装置の前記プロフィール情報を前記一時領域から削除することを特徴とする請求項１に記載の交換制御プログラム。
【請求項３】
前記交換する処理は、前記プロフィール情報の交換が互いに要求された後に、前記プロフィール情報の交換を要求した他の無線通信装置から前記プロフィール情報を取得し、前記プロフィール情報の交換を要求した他の無線通信装置に自己の前記プロフィール情報を送信することを特徴とする請求項１に記載の交換制御プログラム。
【請求項４】
無線通信装置が、
近距離無線通信を用いて他の無線通信装置を検出し、
検出した他の無線通信装置から、当該他の無線通信装置の所有者に対応する画像または所有者の氏名を含む識別情報を取得し、
取得した前記識別情報を表示部に表示し、
表示した識別情報に対応する他の無線通信装置と自装置との間で、前記無線通信装置の所有者に関するプロフィール情報の交換が互いに要求された場合に、前記プロフィール情報の交換を要求した他の無線通信装置と前記プロフィール情報を交換する
処理を含んだことを特徴とする交換制御方法。
【請求項５】
近距離無線通信を用いて他の無線通信装置を検出する検出部と、
前記検出部によって検出された他の無線通信装置から、当該他の無線通信装置の所有者に対応する画像または所有者の氏名を含む識別情報を取得する取得部と、
前記取得部によって取得された前記識別情報を表示部に表示する表示制御部と、
前記表示制御部が表示させた識別情報に対応する他の無線通信装置と自装置との間で、前記無線通信装置の所有者に関するプロフィール情報の交換が互いに要求された場合に、前記プロフィール情報の交換を要求した他の無線通信装置と前記プロフィール情報を交換する交換処理部と
有することを特徴とする無線通信装置。
【発明の詳細な説明】
【技術分野】
【０００１】
本発明は、交換制御プログラム、交換制御方法および無線通信装置に関する。
【背景技術】
【０００２】
携帯端末やスマートフォンなどの無線端末は、名刺交換のように、プロフィール情報の交換を行うことにも利用されている。例えば、一般的な携帯電話は、アドレス帳や電話帳と呼ばれるデータベースを内蔵し、その中に端末所有者に相当する人物のプロフィール情報を格納する。そして、携帯電話は、記憶するデータをプロフィール情報の交換に用いる。
【０００３】
無線端末は、プロフィール情報の交換を行う際の通信として、赤外線、FeliCa（登録商標）、NFC（Near  Field  Communication）、Bluetooth（登録商標）のような近距離無線方式を用いる。例えば、赤外線を用いる場合、交換対象端末は、互いにプロフィール情報の送信を許可する状態にした後に、端末のセンサ部分もしくはアンテナ部分同士を近づけることで、プロフィール情報を交換する。また、Bluetooth（登録商標）では、１０ｍ程度の距離まで通信できるデバイスが普及しているので、赤外線に比べて、より離れた端末間でプロフィール情報を交換できる。
【先行技術文献】
【特許文献】
【０００４】
【特許文献１】特開平８−３２９０１７号公報
【発明の概要】
【発明が解決しようとする課題】
【０００５】
しかしながら、複数の端末間でプロフィール情報を交換する場合には、デバイスＩＤ等によって相手を特定することになるので、相手を特定することが難しく、一括してプロフィール情報を交換することが難しいという問題がある。
【０００６】
例えば、赤外線等などは、１対１の通信でプロフィール情報を交換することを想定している。このため、複数間でプロフィール情報の交換を行う場合には、人数分の操作を行うことになり、一括してプロフィール情報を交換することが難しい。例えば、各端末間でプロフィールを交換する場合は、プロフィール情報を交換する人数が３人ならば全端末で合計３回端末を近づければよいが、４人では６回、５人では１０回というように飛躍的に回数が増加する。
【０００７】
また、Bluetooth（登録商標）を用いた場合、通信可能な範囲に存在する端末を検出し、デバイスＩＤ等の機械的な名称で各端末を判定することになるので、交換対象のプロフィール情報を保持する端末を特定することが難しい。このため、相手を特定するために、結局１対１で交換するなどの対応を行うことになる。
【０００８】
開示の技術は、上記に鑑みてなされたものであって、複数端末間で一括してプロフィール情報を交換する際の利便性を向上させることができる交換制御プログラム、交換制御方法および無線通信装置を提供することを目的とする。
【課題を解決するための手段】
【０００９】
本願の開示する交換制御プログラム、交換制御方法および無線通信装置は、一つの態様において、無線通信装置に、近距離無線通信を用いて他の無線通信装置を検出する処理を実行させる。無線通信装置に、検出した他の無線通信装置から、当該他の無線通信装置の所有者に対応する画像または所有者の氏名を含む識別情報を取得する処理を実行させる。無線通信装置に、取得した前記識別情報を表示部に表示する処理を実行させる。無線通信装置に、表示した識別情報に対応する他の無線通信装置と自装置との間で、前記無線通信装置の所有者に関するプロフィール情報の交換が互いに要求された場合に、前記プロフィール情報の交換を要求した他の無線通信装置と前記プロフィール情報を交換する処理を実行させる。
【発明の効果】
【００１０】
本願の開示する交換制御プログラム、交換制御方法および無線通信装置の一つの態様によれば、複数端末間で一括してプロフィール情報を交換する際の利便性を向上させることができるという効果を奏する。
【図面の簡単な説明】
【００１１】
【図１】図１は、実施例１に係る無線通信システムの全体構成例を示す図である。
【図２】図２は、実施例１に係る無線端末の機能構成を示す機能ブロック図である。
【図３】図３は、プロフィール交換対象端末ＤＢに記憶される情報の例を示す図である。
【図４】図４は、プロフィール情報交換処理の流れを示すフローチャートである。
【図５】図５は、プロフィール情報交換処理の流れを示すフローチャートである。
【図６】図６は、複数端末間でプロフィール交換を行う具体例を説明する図である。
【図７】図７は、１対１でプロフィール交換を行う具体例を説明する図である。
【図８】図８は、ハードウェア構成例を示す図である。
【発明を実施するための形態】
【００１２】
以下に、本願の開示する交換制御プログラム、交換制御方法および無線通信装置の実施例を図面に基づいて詳細に説明する。なお、この実施例によりこの発明が限定されるものではない。
【実施例１】
【００１３】
［全体構成］
図１は、実施例１に係る無線通信システムの全体構成例を示す図である。図１に示すように、この無線通信システムは、複数の無線端末１０を有する。各無線端末１０は、Bluetooth（登録商標）のような近距離無線を起動し、近距離無線で互いに通信可能な位置に存在する。
【００１４】
また、ここでは、各無線端末１０は、例えば本実施例で説明する機能を実行するプロフィール情報交換プログラムなどの名刺交換アプリケーションを実行している。なお、無線端末１０の例としては、携帯電話、スマートフォン、ノートパソコン、ＰＤＡ（Personal  Data  Assistance）などが挙げられる。
【００１５】
このような状態において、無線端末１０は、近距離無線通信を用いて所定の距離に位置する他の無線端末を検出する。無線端末１０は、検出した他の無線端末から、当該他の無線端末の所有者を確認できる、少なくとも所有者の顔画像または所有者の氏名を含む識別情報を取得する。無線端末１０は、取得した識別情報を表示部に表示する。その後、無線端末１０は、表示した識別情報に対応する他の無線端末と自装置との間で、所有者に関するプロフィール情報の交換が互いに要求された場合に、プロフィール情報の交換を要求した他の無線端末とプロフィール情報を交換する。
【００１６】
すなわち、無線端末１０は、近距離通信で検出された端末の所有者の顔画像などを表示させて交換対象の端末を選択させ、お互いに交換すると選択された場合にプロフィール情報を交換することができる。したがって、無線端末１０は、複数端末間で一括してプロフィール情報を交換する際の利便性を向上させることができる。
【００１７】
［無線端末の構成］
図２は、実施例１に係る無線端末の機能構成を示す機能ブロック図である。図２に示すように、無線端末１０は、通信制御部１１、入力部１２、表示部１３、記憶部１４、制御部１５を有する。ここで示した処理部は、例示であり、例えば電話帳ＤＢや音声通信部などの他の処理部を有していてもよい。
【００１８】
通信制御部１１は、近距離無線通信を実行して他の無線端末と通信を確立する処理部である。具体的には、通信制御部１１は、近距離無線実行部１６の指示によって近距離無線通信を実行し、通信可能は範囲にある他の無線端末を検出する。そして、通信制御部１１は、検出した他の無線端末との近距離無線通信の確立を試み、相手から応答を受信すると、近距離無線通信を確立する。
【００１９】
入力部１２は、キーボードキーなどの入力装置であり、表示部１３に表示される画面に各種情報を入力する処理部である。また、入力部１２は、表示部１３に表示される画面において所望の情報の選択を受け付ける。
【００２０】
表示部１３は、ディスプレイやタッチパネルなどの表示装置である。具体的には、表示部１３は、制御部１５等の指示操作によって各種情報を表示する。例えば、表示部１３は、プロフィール情報受信部１８の指示操作によって、他の無線端末の所有者の顔画像や名前等を表示する。また、表示部１３がタッチパネルである場合には、表示させた画面上で各種操作を受け付けることもできる。
【００２１】
記憶部１４は、メモリやハードディスクなどの記憶装置であり、プロフィール情報ＤＢ１４ａとプロフィール交換対象端末ＤＢを有する。また、記憶部１４は、図示したＤＢ以外にも電話帳ＤＢや作業領域等を有する。
【００２２】
プロフィール情報ＤＢ１４ａは、無線端末１０の所有者のプロフィール情報すなわち自己のプロフィール情報と、他の無線端末から取得した他人のプロフィール情報を記憶するデータベースである。例えば、プロフィール情報ＤＢ１４ａは、自己のプロフィール情報として、自身の顔画像、名前、勤務先の会社名、部署名、役職、会社の住所、会社の電話番号、メールアドレス等を記憶する。ここで記憶される各種情報は、所有者によって予め登録される。
【００２３】
また、プロフィール情報ＤＢ１４ａは、他人のプロフィール情報として、プロフィール情報を識別する識別子に対応付けて、プロフィールに該当する他人の顔画像、名前、勤務先の会社名、部署名、役職、会社の住所、会社の電話番号、メールアドレス等を記憶する。
【００２４】
プロフィール交換対象端末ＤＢ１４ｂは、プロフィール交換を行う際に、相手の端末の状況を一時的に管理するデータベースである。図３は、プロフィール交換対象端末ＤＢに記憶される情報の例を示す図である。図３に示すように、プロフィール交換対象端末ＤＢ１４ｂは、「端末情報、デバイス情報、プロフィール情報、端末妥当性識別情報、プロフィール情報交換履歴、許可フラグ（自端末）、許可フラグ（他端末）」を記憶する。
【００２５】
「端末情報」は、レコードを識別する識別子であり、Ｘ１などの識別子が一意に割当てられる。「デバイス情報」は、近距離無線通信で検出された無線端末を識別する情報であり、例えばデバイスＩＤやデバイス名などの端末固有情報である。「プロフィール情報」は、近距離無線通信で検出された無線端末から取得したプロフィール情報であり、例えば上記プロフィール情報である。
【００２６】
「端末妥当性識別情報」は、近距離無線通信で検出された無線端末から取得する情報であり、その場で他人を判別することができる情報である。例えば、端末妥当性識別情報」としては、他人の顔画像のファイル名や他人の名前が記述されたテキストファイル等が該当する。「プロフィール情報交換履歴」は、他人の無線端末からプロフィール情報を受信できているか否かを示す情報である。近距離無線通信で接続されているが未取得の場合は「未交換」、近距離無線通信で接続されており取得済みの場合は「交換済み」、近距離無線通信で接続できなかった場合は「交換ＮＧ」が、「プロフィール情報交換履歴」に格納される。
【００２７】
「許可フラグ（自端末）」は、端末情報で識別される他の無線端末に対して、自己のプロフィール情報の提供を許可するか否かを示す情報である。例えば、許可するか否かが未設定の場合は「未設定」、許可する場合には「許可」、拒否する場合には「拒否」が、「許可フラグ（自端末）」に格納される。なお、ここで格納される情報は、表示部１３等に受け付けられた情報に基づいて格納される。
【００２８】
「許可フラグ（他端末）」は、端末情報で識別される他の無線端末が、自分にプロフィール情報の提供を許可したか否かを示す情報である。例えば、許可するか否かが未取得の場合は「未取得」、許可された場合には「許可」、拒否された場合には「拒否」、近距離無線通信が切断された場合には「接続ＮＧ」が、「許可フラグ（他端末）」に格納される。なお、ここで格納される情報は、他端末から受信した情報等に基づいて格納される。
【００２９】
制御部１５は、プロセッサなどの電子回路であり、無線端末１０の全体的な処理を司る処理部である。制御部１５は、近距離無線実行部１６、プロフィール情報送信部１７、プロフィール情報受信部１８、要求処理部１９、格納制御部２０を有する。
【００３０】
近距離無線実行部１６は、Bluetooth（登録商標）などの近距離無線通信を実行する処理部である。例えば、近距離無線実行部１６は、所有者の指示操作を受け付けて、近距離無線を実行する。続いて、近距離無線実行部１６は、通信可能な範囲に位置する他の無線端末を検出する。そして、近距離無線実行部１６は、検出された各無線端末に対して、接続要求を送信し、応答してきた無線端末と通信を確立する。
【００３１】
また、近距離無線実行部１６は、近距離無線通信を実行した後に、他の無線端末から接続要求を受信した場合、ユーザの指示操作にしたがって、当該他の無線端末と無線通信を確立したり、当該他の無線端末との無線通信を拒否したりする。
【００３２】
また、近距離無線実行部１６は、他の無線端末と近距離無線が確立された場合、プロフィール交換対象端末ＤＢ１４ｂにレコードを生成する。具体的には、近距離無線実行部１６は、端末情報を一意に与えて、他の無線端末から取得したデバイスＩＤ等に対応付けたレコードを生成する。このとき、「プロフィール情報交換履歴」は「未交換」、「許可フラグ（自端末）」は未設定、「許可フラグ（他端末）」は未取得となる。
【００３３】
プロフィール情報送信部１７は、近距離無線実行部１６によって近距離無線で接続された他の無線端末に対して、自己のプロフィール情報を送信する処理部である。例えば、プロフィール情報送信部１７は、３台の無線端末各々と近距離無線が確立されたことを近距離無線実行部１６から通知されると、プロフィール情報ＤＢ１４ａから自己のプロフィール情報を読み出して、各無線端末に送信する。
【００３４】
プロフィール情報受信部１８は、近距離無線実行部１６によって近距離無線で接続された他の無線端末から、他の無線端末の所有者のプロフィール情報を受信する処理部である。また、プロフィール情報受信部１８は、プロフィール情報の受信状況にしたがって、プロフィール交換対象端末ＤＢ１４ｂを更新する。
【００３５】
具体的には、プロフィール情報受信部１８は、端末情報がＸ１である無線端末から、顔画像等のファイルを含むプロフィール情報を受信した場合、当該Ｘ１に対応するレコードの「プロフィール情報」に、受信したプロフィール情報を格納する。また、プロフィール情報受信部１８は、当該Ｘ１に対応するレコードの「端末妥当性識別情報」に、受信した顔画像ファイル等を格納する。
【００３６】
なお、プロフィール情報が受信できたことから、プロフィール情報受信部１８は、当該Ｘ１に対応するレコードの「プロフィール情報交換履歴」を「交換済み」に設定する。一方、プロフィール情報の受信中に無線が切断された場合には、プロフィール情報受信部１８は、当該Ｘ１に対応するレコードの「プロフィール情報交換履歴」を「交換ＮＧ」に設定する。
【００３７】
そして、プロフィール情報受信部１８は、プロフィール交換対象端末ＤＢ１４ｂに格納された「端末妥当性識別情報」の画像ファイル等を読み込んで、表示部１３に表示させる。すなわち、プロフィール情報受信部１８は、プロフィール情報が受信できた他の無線端末の所有者の顔画像を表示部１３に表示させる。
【００３８】
要求処理部１９は、プロフィール交換の要求処理等を実行する処理部である。例えば、要求処理部１９は、表示部１３に表示された顔画像から、自己のプロフィールを送信する対象の顔画像の選択をユーザから受け付ける。つまり、要求処理部１９は、プロフィール交換を実行する相手の選択を受け付ける。そして、要求処理部１９は、選択された顔画像に対応する無線端末をプロフィール交換対象端末ＤＢ１４ｂから特定し、特定した無線端末にプロフィール情報の交換要求を送信する。
【００３９】
また、要求処理部１９は、プロフィール交換対象端末ＤＢ１４ｂにおいて、交換要求の要求先の無線端末に対応する「許可フラグ（自端末）」を許可に設定する。この際、要求処理部１９は、プロフィール交換を実行する相手として選択されなかった無線端末については、「許可フラグ（自端末）」を拒否に設定する。
【００４０】
また、要求処理部１９は、他の無線端末からプロフィール情報の交換要求を受信した場合にも、プロフィール交換対象端末ＤＢ１４ｂを更新する。例えば、要求処理部１９は、端末情報Ｘ２で識別される無線端末から交換要求を受信した場合、プロフィール交換対象端末ＤＢ１４ｂにおいて端末情報Ｘ２に対応する「許可フラグ（他端末）」を許可に設定する。
【００４１】
一方、要求処理部１９は、プロフィール交換対象端末ＤＢ１４ｂに記憶される無線端末について、レコードが生成されてから所定時間応答がない端末、または、プロフィール交換を拒否する応答を受信した端末については、交換が拒否されたと判定する。その場合、要求処理部１９は、プロフィール交換対象端末ＤＢ１４ｂの「許可フラグ（他端末）」を拒否に設定する。
【００４２】
格納制御部２０は、プロフィール情報の交換を実行する処理部である。例えば、格納制御部２０は、プロフィール交換対象端末ＤＢ１４ｂにおいて「許可フラグ（自端末）」が「許可」かつ「許可フラグ（他端末）」が「許可」である無線端末を特定する。そして、格納制御部２０は、特定した無線端末のプロフィール情報をプロフィール交換対象端末ＤＢ１４ｂの「プロフィール情報」から読み出して、プロフィール情報ＤＢ１４ａに格納する。
【００４３】
また、格納制御部２０は、プロフィール交換対象端末ＤＢ１４ｂにおいて「許可フラグ（自端末）」または「許可フラグ（他端末）」のいずれかが「許可」以外である無線端末を特定する。この場合、格納制御部２０は、特定した無線端末のプロフィール情報をプロフィール交換対象端末ＤＢ１４ｂの「プロフィール情報」から読み出して破棄する。
【００４４】
［処理の流れ］
次に、図４と図５を用いてプロフィール情報の交換処理の流れを説明する。図４と図５は、プロフィール情報交換処理の流れを示すフローチャートである。
【００４５】
図４に示すように、無線端末１０の近距離無線実行部１６は、ユーザによってプロフィール情報交換処理の開始が指示されると（Ｓ１０１）、近距離無線を実行して、周辺端末検索を開始する（Ｓ１０２）。このとき、変数ｉに０を設定する。
【００４６】
近距離無線実行部１６は、周辺に端末が見つからなかった場合（Ｓ１０３：Ｎｏ）、プロフィール情報交換処理を終了する。
【００４７】
一方、近距離無線実行部１６は、周辺に端末が見つかった場合（Ｓ１０３：Ｙｅｓ）、プロフィール交換対象端末ＤＢ１４ｂを生成する（Ｓ１０４）。すなわち、近距離無線実行部１６は、プロフィール交換対象端末ＤＢ１４ｂに、検出された無線端末に対応するレコードを生成する。なお、ここでは、Ｎ台の無線端末が検出されたとする。
【００４８】
その後、近距離無線実行部１６は、他端末の接続要求を確認し（Ｓ１０５）、他端末から接続要求がない場合に（Ｓ１０６：Ｎｏ）、変数ｉをインクリメントする（Ｓ１０７）。
【００４９】
続いて、近距離無線実行部１６は、プロフィール交換対象端末ＤＢ１４ｂを参照して、検索された無線端末Ｘｉとの交換履歴を検索する（Ｓ１０８）。そして、近距離無線実行部１６は、無線端末Ｘｉとの交換履歴が「交換済み」である場合には（Ｓ１０９：Ｙｅｓ）、Ｓ１２１を実行する。
【００５０】
一方、近距離無線実行部１６は、無線端末Ｘｉとの交換履歴が「交換済み」ではない場合には（Ｓ１０９：Ｎｏ）、無線端末Ｘｉへ接続要求を送信する（Ｓ１１０）。つまり、近距離無線実行部１６は、プロフィール情報が未交換の無線端末へ、近距離無線通信の確立を試みる。
【００５１】
そして、接続が確立された場合（Ｓ１１１：Ｙｅｓ）、プロフィール情報送信部１７は、プロフィール情報ＤＢ１４ａから読み出した自己のプロフィール情報を、近距離無線通信が確立された無線端末Ｘｉに送信する（Ｓ１１２）。このときに送信される自己のプロフィール情報には、少なくとも自己の顔画像または自己の氏名が含まれる。
【００５２】
また、プロフィール情報受信部１８は、通信が確立された無線端末Ｘｉからプロフィール情報を受信する（Ｓ１１３）。このとき、受信される自己のプロフィール情報には、少なくとも無線端末Ｘｉの顔画像または無線端末Ｘｉの氏名が含まれる。
【００５３】
そして、プロフィール情報受信部１８は、受信したプロフィール情報をプロフィール情報ＤＢ１４ａに格納し、プロフィール情報ＤＢ１４ａの各種情報を更新する（Ｓ１１４）。つまり、プロフィール情報受信部１８は、プロフィール情報が受信できた無線端末Ｘｉの「プロフィール情報交換履歴」を「交換済み」に更新する。
【００５４】
一方、Ｓ１１１において、無線端末Ｘｉと接続が確立されなかった場合（Ｓ１１１：Ｎｏ）、近距離無線実行部１６は、無線端末Ｘｉに関する情報をプロフィール情報ＤＢ１４ａから削除し（Ｓ１１５）、無線端末Ｘｉを交換対象から除外する。
【００５５】
また、Ｓ１０６において、他端末から接続要求がある場合に（Ｓ１０６：Ｙｅｓ）、近距離無線実行部１６は、接続要求を送信した無線端末Ｘｊからの接続を許可する（Ｓ１１６）。そして、近距離無線実行部１６は、無線端末Ｘｊと近距離無線通信を確立する（Ｓ１１７）。
【００５６】
その後、プロフィール情報受信部１８は、通信が確立された無線端末Ｘｊからプロフィール情報を受信する（Ｓ１１８）。このとき、受信される自己のプロフィール情報には、少なくとも無線端末Ｘｊの顔画像または無線端末Ｘｊの氏名が含まれる。
【００５７】
また、プロフィール情報送信部１７は、プロフィール情報ＤＢ１４ａから読み出した自己のプロフィール情報を、近距離無線通信が確立された無線端末Ｘｊに送信する（Ｓ１１９）。このときに送信される自己のプロフィール情報には、少なくとも自己の顔画像または自己の氏名が含まれる。
【００５８】
そして、プロフィール情報受信部１８は、受信したプロフィール情報をプロフィール情報ＤＢ１４ａに格納し、プロフィール情報ＤＢ１４ａの各種情報を更新する（Ｓ１２０）。つまり、プロフィール情報受信部１８は、プロフィール情報が受信できた無線端末Ｘｊの「プロフィール情報交換履歴」を「交換済み」に更新する。なお、プロフィール情報受信部１８は、無線端末Ｘｊのレコードが存在しない場合には、プロフィール情報ＤＢ１４ａに新たに生成する。
【００５９】
そして、Ｓ１０１からＳ１２０が実行された後、制御部１５は、変数ｉ＝Ｎであるか否かを判定し、変数ｉ＝Ｎではない場合（Ｓ１２１：Ｎｏ）、Ｓ１０５に戻って以降の処理を繰り返す。一方、制御部１５は、変数ｉ＝Ｎである場合（Ｓ１２１：Ｙｅｓ）、Ｓ１２２を実行する。
【００６０】
すなわち、プロフィール情報受信部１８は、プロフィール情報ＤＢ１４ａに格納される他端末の端末妥当性識別情報を読み出して、リストを生成する（Ｓ１２２）。ここでは、端末妥当性識別情報は顔画像として、Ｍ個の無線端末の顔画像が読み出されたとする。そして、プロフィール情報受信部１８は、無線端末Ｘｉ（ｉ＝０〜Ｍ）の顔画像を表示部１３に表示させ、ユーザからの選択待ちの状態で待機する（Ｓ１２３）。
【００６１】
その後、図５に示すように、要求処理部１９は、プロフィール情報を交換する対象の無線端末の指定をユーザから受け付ける（Ｓ２０１）。すると、要求処理部１９は、変数ｉに０を設定する（Ｓ２０２）。ここでは、顔画像が表示されたＭ個の無線端末それぞれが交換対象に指定されたとする。
【００６２】
そして、要求処理部１９は、他端末からの接続要求を確認し（Ｓ２０３）、接続要求がない場合（Ｓ２０４：Ｎｏ）、変数ｉをインクリメントする（Ｓ２０５）。
【００６３】
続いて、要求処理部１９は、無線端末Ｘｉとのプロフィール情報交換履歴が「交換済み」かつ許可フラグ（他端末）が「未取得」であるか否かを、プロフィール情報ＤＢ１４ａを参照して照合する（Ｓ２０６）。
【００６４】
そして、要求処理部１９がＳ２０６の条件を満たすと判定した場合（Ｓ２０７：Ｙｅｓ）、近距離無線実行部１６は、無線端末Ｘｉへ接続要求を送信する（Ｓ２０８）。なお、要求処理部１９は、Ｓ２０６の条件を満たないと判定した場合（Ｓ２０７：Ｎｏ）、Ｓ２１９を実行する。ここでＳ２０６の条件とは、プロフィール情報交換履歴が「交換済み」かつ許可フラグ（他端末）が「未取得」であるか否かである。
【００６５】
その後、近距離無線実行部１６によって無線端末Ｘｉとの近距離通信が確立されると（Ｓ２０９：Ｙｅｓ）、要求処理部１９は、許可フラグすなわちプロフィール情報の交換を要求する交換要求を無線端末Ｘｉに送信する（Ｓ２１０）。続いて、要求処理部１９は、許可フラグすなわちプロフィール情報の交換を要求する交換要求を無線端末Ｘｉから受信する（Ｓ２１１）。このとき、要求処理部１９は、プロフィール情報ＤＢ１４ａにおいて無線端末Ｘｉの「許可フラグ（自端末）」を「許可」に設定し、「許可フラグ（他端末）」を「許可」に設定する。
【００６６】
一方、Ｓ２０９において、近距離無線実行部１６が無線端末Ｘｉとの近距離通信を確立できなかった場合（Ｓ２０９：Ｎｏ）、要求処理部１９は、プロフィール情報ＤＢ１４ａにおいて無線端末Ｘｉの「許可フラグ（他端末）」を「接続ＮＧ」に設定する（Ｓ２１３）。
【００６７】
また、Ｓ２０４において、他端末からの接続要求がある場合（Ｓ２０４：Ｙｅｓ）、近距離無線実行部１６は、接続要求を送信した無線端末Ｘｊからの接続を許可する（Ｓ２１４）。そして、近距離無線実行部１６は、無線端末Ｘｊと近距離無線通信を確立する（Ｓ２１５）。
【００６８】
その後、要求処理部１９は、許可フラグすなわちプロフィール情報の交換を要求する交換要求を無線端末Ｘｊから受信する（Ｓ２１６）。要求処理部１９は、許可フラグすなわちプロフィール情報の交換を要求する交換要求を無線端末Ｘｊに送信する（Ｓ２１７）。続いて、要求処理部１９は、プロフィール情報ＤＢ１４ａにおいて無線端末Ｘｊの「許可フラグ（自端末）」を「許可」に設定し、「許可フラグ（他端末）」を「許可」に設定する（Ｓ２１８）。
【００６９】
そして、Ｓ２０１からＳ２１８が実行された後、制御部１５は、変数ｉ＝Ｍであるか否かを判定し、変数ｉ＝Ｍではない場合（Ｓ２１９：Ｎｏ）、Ｓ２０３に戻って以降の処理を繰り返す。一方、格納制御部２０は、変数ｉ＝Ｍである場合（Ｓ２１９：Ｙｅｓ）、Ｓ２２０を実行する。
【００７０】
すなわち、格納制御部２０は、プロフィール情報ＤＢ１４ａにおいて許可フラグが自端末および他端末の双方で「許可」された場合に、プロフィール情報の交換を実行する（Ｓ２２０）。
【００７１】
［具体例（複数間）］
次に、複数間でプロフィール情報の１つである名刺交換の具体例を説明する。図６は、複数端末間でプロフィール交換を行う具体例を説明する図である。図６に示すように、無線端末１０は、ユーザの指示操作を受け付けて、プロフィール情報を交換するプログラムである一発名刺交換プログラムを実行し、表示部１３に処理開始画面を表示させて、処理を開始するか否かをユーザに選択させる（Ｓ３０１）。
【００７２】
そして、無線端末１０は、処理開始がユーザによって選択されると（Ｓ３０２）、近距離無線通信を実行して他の無線端末を検索し（Ｓ３０３）、通信が確立された無線端末のユーザの顔画像および名前を表示部１３に表示させる（Ｓ３０４）。図６では、一例として、無線端末１０は、名前「青山明」とその顔画像、名前「石川一郎」とその顔画像、名前「内田宇一」とその顔画像、名前「遠藤英治」とその顔画像を表示させる。なお、ここで挙げた名前等はあくまで一例である。
【００７３】
その後、無線端末１０は、名刺交換をしたくない相手の選択をユーザから受け付けて（Ｓ３０５）、名刺交換が拒否された無線端末以外の無線端末に対して、名刺交換の要求を実行する（Ｓ３０６）。図６では、一例として、無線端末１０は、名前「遠藤英治」について名刺交換の拒否選択を受け付け、他の人とは名刺交換を実行する。
【００７４】
そして、無線端末１０は、名刺交換の要求を送信した無線端末のうち、無線端末１０と名刺交換をすると要求した無線端末の名刺情報を保存する（Ｓ３０７）。その後、無線端末１０は、名刺交換が完了した情報を表示部１３に表示させる（Ｓ３０８）。
【００７５】
一方、無線端末１０は、名刺交換をしたくない相手が選択されなかった場合、表示部１３に表示されている各無線端末に対して、名刺交換の要求を実行する（Ｓ３０９）。そして、無線端末１０は、名刺交換の要求を送信した無線端末のうち、無線端末１０と名刺交換をすると要求した無線端末の名刺情報を保存し、名刺交換が完了した情報を表示部１３に表示させる。
【００７６】
［具体例（１対１）］
次に、１対１でプロフィール情報の１つである名刺交換の具体例を説明する。図７は、１対１でプロフィール交換を行う具体例を説明する図である。図７に示すように、無線端末１０は、ユーザの指示操作を受け付けて、プロフィール情報を交換するプログラムである一発名刺交換プログラムを実行し、表示部１３に処理開始画面を表示させて、処理を開始するか否かをユーザに選択させる（Ｓ４０１）。
【００７７】
そして、無線端末１０は、処理開始がユーザによって選択されると（Ｓ４０２）、近距離無線通信を実行して１台の無線端末を検索し（Ｓ４０３）、通信が確立された１台の無線端末のユーザの顔画像および名前を表示部１３に表示させる（Ｓ４０４）。
【００７８】
その後、無線端末１０は、名刺交換を実行する場合、表示されている無線端末に対して、名刺交換の要求を実行し、相手の端末も名刺交換をすると応答した場合に、相手の無線端末の名刺情報を保存する（Ｓ４０５）。その後、無線端末１０は、名刺交換が完了した情報を表示部１３に表示させる（Ｓ４０６）。
【００７９】
その後、無線端末１０は、名刺交換を実行しないとユーザによって指定された場合、プロフィール交換対象端末ＤＢ１４ｂに一時的に記憶されている、表示されている無線端末の名刺情報を破棄し、名刺交換が完了した情報を表示部１３に表示させる（Ｓ４０７）。
【００８０】
［効果］
実施例１の無線端末１０は、プロフィール情報の交換にあたっては双方の端末でプロフィール情報交換可能な通信状態にした後に、Bluetooth（登録商標）のような比較的通信距離が長い無線方式を用いてプロフィール情報交換を行う。このため、最初に通信可能な相手が見つかった時点でプロフィール情報送受信処理を行なう動作をさせることで実運用上は問題なく相手とのプロフィール情報交換が実現できる。
【００８１】
また、実施例１の無線端末１０は、１対１でのプロフィール情報の交換においても、赤外線等を利用した場合のように、通信ポート同士あるいはアンテナ同士を近づけなくても、通信を実行できるという近距離無線のメリットを享受することができる。
【００８２】
また、実施例１の無線端末１０は、顔画像や名前など相手をその場で確認できる情報を使用することで、相手確認にてセキュリティを確保することができる。例えば、周囲に不審な情報を送信する端末がいた場合には、プロフィール情報の交換対象から除外することができる。
【００８３】
さらに、実施例１の無線端末１０は、最低２回のユーザ操作で相手とのプロフィール情報の交換を実現することができる。また、実施例１の無線端末１０は、プロフィール情報を交換する相手の人数が複数人に増えても、周囲に不審な情報を送信する端末が存在しない場合には、最短操作回数２回で全員とのプロフィール情報の交換を実現できる。
【実施例２】
【００８４】
さて、これまで本発明の実施例について説明したが、本発明は上述した実施例以外にも、種々の異なる形態にて実施されてよいものである。そこで、以下に異なる実施例を説明する。
【００８５】
（プロフィール情報の交換タイミング）
実施例１では、無線端末１０は、近距離無線通信で検出された無線端末からプロフィール情報を取得し、当該無線端末にプロフィール情報を送信し、交換を互いに要求した場合に、記憶部に保存する例を説明したが、これに限定されるものではない。つまり、実施例１では、無線端末１０が、プロフィール情報を交換した後に、そのプロフィール情報を保存するか破棄するかを、交換を互いに要求したか否かによって判断する例を説明した。
【００８６】
しかし、無線端末１０は、近距離無線通信で検出したタイミングでは、プロフィール情報を交換せずに、顔画像や名前等の情報だけを交換する。そして、無線端末１０は、顔画像や名前を表示部１３に表示させ、交換対象として互いに指定された後に、相手にプロフィール情報を送信し、相手からプロフィール情報を取得することもできる。このようにすることで、交換対象ではない無線端末に誤って自己のプロフィール情報を送信することを防止できる。また、不正な無線端末のプロフィール情報を取得することによる危険性を低減できる。
【００８７】
（無線通信）
実施例１では、近距離無線通信を例に説明したが、これに限定されるものではない。例えば、無線ＬＡＮ（Local  Area  Network）でも、実施例１と同様の処理を実行することができる。
【００８８】
（システム）
また、本実施例において説明した各処理のうち、自動的におこなわれるものとして説明した処理の全部または一部を手動的におこなうこともできる。あるいは、手動的におこなわれるものとして説明した処理の全部または一部を公知の方法で自動的におこなうこともできる。この他、上記文書中や図面中で示した処理手順、制御手順、具体的名称、各種のデータやパラメータを含む情報については、特記する場合を除いて任意に変更することができる。
【００８９】
また、図示した各装置の各構成要素は機能概念的なものであり、必ずしも物理的に図示の如く構成されていることを要しない。すなわち、各装置の分散・統合の具体的形態は図示のものに限られない。つまり、その全部または一部を、各種の負荷や使用状況などに応じて、任意の単位で機能的または物理的に分散・統合して構成することができる。さらに、各装置にて行なわれる各処理機能は、その全部または任意の一部が、ＣＰＵおよび当該ＣＰＵにて解析実行されるプログラムにて実現され、あるいは、ワイヤードロジックによるハードウェアとして実現され得る。
【００９０】
（ハードウェア）
次に、無線端末１０のハードウェア構成の例を説明する。図８は、ハードウェア構成例を示す図である。図８に示すように、無線端末１０は、表示操作部１０１、カメラ１０２、メモリ１０３、通信部１０４、プロセッサ１０５がバス１００ａ等で接続されて構成される。
【００９１】
表示操作部１０１は、図２に示した入力部１２と表示部１３に対応する。カメラ１０２は、無線端末１０の所有者の顔画像を撮像する撮像部である。メモリ１０３は、図２で説明した各ＤＢと同様の情報を記憶する。通信部１０４は、図２で説明した通信制御部１１に対応する。
【００９２】
プロセッサ１０５は、図２で説明した制御部１５の各処理部を実行する。具体的には、プロセッサ１０５は、制御部１５の各処理部と同様の機能を含む交換制御プログラムを実行して、交換制御プロセスを動作させる。プロセッサ１０５は、交換制御プロセスを動作させることで、実施例１で説明した処理と同様の処理を実行する。
【００９３】
以上の各実施例を含む実施形態に関し、さらに以下の付記を開示する。
【００９４】
（付記１）無線通信装置に、
近距離無線通信を用いて他の無線通信装置を検出し、
検出した他の無線通信装置から、当該他の無線通信装置の所有者に対応する画像または所有者の氏名を含む識別情報を取得し、
取得した前記識別情報を表示部に表示し、
表示した識別情報に対応する他の無線通信装置と自装置との間で、前記無線通信装置の所有者に関するプロフィール情報の交換が互いに要求された場合に、前記プロフィール情報の交換を要求した他の無線通信装置と前記プロフィール情報を交換する
処理を実行させることを特徴とする交換制御プログラム。
【００９５】
（付記２）前記検出する処理は、前記検出した他の無線通信装置に自己の前記プロフィール情報を送信し、前記検出した他の無線通信装置から前記プロフィール情報を受信して一時領域に保存し、
前記交換する処理は、前記一時領域に保存される前記プロフィール情報のうち、前記プロフィール情報の交換を要求した他の無線通信装置の前記プロフィール情報を前記一時領域から所定の記憶部に移動させ、前記プロフィール情報の交換を要求しなかった他の無線通信装置の前記プロフィール情報を前記一時領域から削除することを特徴とする付記１に記載の交換制御プログラム。
【００９６】
（付記３）前記交換する処理は、前記プロフィール情報の交換が互いに要求された後に、前記プロフィール情報の交換を要求した他の無線通信装置から前記プロフィール情報を取得し、前記プロフィール情報の交換を要求した他の無線通信装置に自己の前記プロフィール情報を送信することを特徴とする付記１に記載の交換制御プログラム。
【００９７】
（付記４）無線通信装置が、
近距離無線通信を用いて他の無線通信装置を検出し、
検出した他の無線通信装置から、当該他の無線通信装置の所有者に対応する画像または所有者の氏名を含む識別情報を取得し、
取得した前記識別情報を表示部に表示し、
表示した識別情報に対応する他の無線通信装置と自装置との間で、前記無線通信装置の所有者に関するプロフィール情報の交換が互いに要求された場合に、前記プロフィール情報の交換を要求した他の無線通信装置と前記プロフィール情報を交換する
処理を含んだことを特徴とする交換制御方法。
【００９８】
（付記５）近距離無線通信を用いて他の無線通信装置を検出する検出部と、
前記検出部によって検出された他の無線通信装置から、当該他の無線通信装置の所有者に対応する画像または所有者の氏名を含む識別情報を取得する取得部と、
前記取得部によって取得された前記識別情報を表示部に表示する表示制御部と、
前記表示制御部が表示させた識別情報に対応する他の無線通信装置と自装置との間で、前記無線通信装置の所有者に関するプロフィール情報の交換が互いに要求された場合に、前記プロフィール情報の交換を要求した他の無線通信装置と前記プロフィール情報を交換する交換処理部と
有することを特徴とする無線通信装置。
【００９９】
（付記６）メモリと
前記メモリに接続されるプロセッサと、を有し、
前記プロセッサが、
近距離無線通信を用いて他の無線通信装置を検出し、
検出した他の無線通信装置から、当該他の無線通信装置の所有者に対応する画像または所有者の氏名を含む識別情報を取得し、
取得した前記識別情報を表示部に表示し、
表示した識別情報に対応する他の無線通信装置と自装置との間で、前記無線通信装置の所有者に関するプロフィール情報の交換が互いに要求された場合に、前記プロフィール情報の交換を要求した他の無線通信装置と前記プロフィール情報を交換する
処理を実行させることを特徴とする無線通信装置。
【０１００】
（付記７）近距離無線通信を用いて他の無線通信装置を検出し、
検出した他の無線通信装置から、当該他の無線通信装置の所有者に対応する画像または所有者の氏名を含む識別情報を取得し、
取得した前記識別情報を表示部に表示し、
表示した識別情報に対応する他の無線通信装置と自装置との間で、前記無線通信装置の所有者に関するプロフィール情報の交換が互いに要求された場合に、前記プロフィール情報の交換を要求した他の無線通信装置と前記プロフィール情報を交換する
各処理をコンピュータに実行させる交換制御プログラムを記憶する、コンピュータ読み取り可能な記憶媒体。
【符号の説明】
【０１０１】
１０  無線端末
１１  通信制御部
１２  入力部
１３  表示部
１４  記憶部
１４ａ  プロフィール情報ＤＢ
１４ｂ  プロフィール交換対象端末ＤＢ
１５  制御部
１６  近距離無線実行部
１７  プロフィール情報送信部
１８  プロフィール情報受信部
１９  要求処理部
２０  格納制御部
【図１】
2014120944.tif 000003
【図２】
2014120944.tif 000004
【図３】
2014120944.tif 000005
【図４】
2014120944.tif 000006
【図５】
2014120944.tif 000007
【図６】
2014120944.tif 000008
【図７】
2014120944.tif 000009
【図８】
2014120944.tif 000010